(57)【要約】【課題】  電動工具における駆動状態表示あるいは情報検出表示等を行なう表示装置の視認領域の拡大を図る上で有効な技術を提供する。【解決手段】  ハウジング１０３と、ハウジング１０３内に収容されたモータと、モータの回転出力によって駆動されて所定の加工作業を遂行する工具ビット１１５と、を有する電動工具１０１であって、ハウジング１０３は、相互に交差する２つの面１０６ａ，１０６ｂを跨いで延在する開口１５１，１５３を有し、当該開口に電動工具駆動状態に関する駆動状態表示あるいは電動工具駆動情報に関する情報検出表示の少なくとも一方を表示する表示部１２７，１３７を配置した。【選択図】  図１
2006062038.tif 000002
【特許請求の範囲】
【請求項１】
ハウジングと、
前記ハウジング内に収容されたモータと、
前記モータの回転出力によって駆動されて所定の加工作業を遂行する工具ビットと、を有する電動工具であって、
前記ハウジングは、相互に交差する２つの面を跨いで延在する開口を有し、当該開口に電動工具駆動状態表示用の表示部あるいは電動工具駆動情報の検出表示用の表示部の少なくとも一方を配置したことを特徴とする電動工具。
【請求項２】
請求項１に記載の電動工具であって、
前記開口は、延在方向の一端部が一方の面の法線に平行な垂直端面とされ、延在方向の他端部が内側から外側に向って延びる傾斜端面とされ、前記表示部は、前記ハウジングの内側から前記開口に挿入することで当該ハウジングに組み付けられる構成であって、前記開口に挿入される前記表示部の先端部位には、当該開口の垂直端面と相似形状の平面部および当該開口の傾斜端面と相似形状の傾斜面部が設けられており、前記ハウジング内のある点を回動支点にして前記表示部を回動させつつ当該表示部の先端部位を前記開口に挿入することによって前記平面部が開口の垂直端面に当接され、前記傾斜面部が開口の傾斜端面に当接される構成としたことを特徴とする電動工具。
【請求項３】
請求項２に記載の電動工具であって、
前記ハウジング内には、前記開口に前記表示部を挿入する際の当該表示部の回動支点を構成する被係合部が設けられ、当該被係合部に前記表示部に設けた係合部を係合した状態で当該表示部を回動させることによって前記表示部の先端部位を前記開口に挿入する構成としたことを特徴とする電動工具。
【発明の詳細な説明】
【技術分野】
【０００１】
本発明は、例えばモータに対する電源の入力状態あるいは整流子に電流を供給するブラシの寿命等を表示する表示装置付電動工具に関する。
【背景技術】
【０００２】
電動工具における駆動状態に関する表示あるいは駆動情報の検出に関する表示等を行なう表示装置付き電動工具は、市場において販売され、かつ作業現場において使用されている。この先行技術に係る電動工具においては、ハウジングの側面あるいは後面を利用して表示装置を配置する構成を採用している。しかしながら、従来の表示技術では、表示装置の視認方向が一方向に限定されているため、視認範囲が狭いという点で、なお改良の余地がある。（なお従来技術が記載されている先行文献は、現在のところ見つかっていない）。
【発明の開示】
【発明が解決しようとする課題】
【０００３】
本発明は、かかる点に鑑みてなされたものであり、電動工具における駆動状態表示あるいは駆動情報の検出表示等を行なう表示装置の視認領域の拡大を図る上で有効な技術を提供することを目的とする。
【課題を解決するための手段】
【０００４】
上記課題を達成するため、各請求項記載の発明が構成される。
請求項１に記載の発明によれば、ハウジングと、当該ハウジング内に収容されたモータと、モータの回転出力によって駆動されて所定の加工作業を遂行する工具ビットと、を有する電動工具が構成される。電動工具としては、ハンマ、ハンマドリル、ジグソー、レシプロソー等といったように、工具ビットが、直線運動することで被加工材に加工作業を行う態様の作業工具、あるいはマルノコ、グラインダー、ドリル、スクリュドライバ等といったように、工具ビットが、回転運動することで被加工材に加工作業を行う態様の作業工具を広く包含するものとする。モータは、かかる工具ビットを駆動する。
【０００５】
本発明に係る電動工具では、ハウジングは、相互に交差する２つの面を跨いで延在する開口を有し、当該開口に電動工具駆動状態表示用の表示部あるいは電動工具駆動情報の検出表示用の表示部の少なくとも一方を配置した構成とされる。ここで「相互に交差する２つの面」としては、ハウジングの後面と側面（正面）が好適に選択されるが、その他の２つの面を選択することを妨げるものではない。また「電動工具駆動状態表示」とは、典型的には電源入力の状態を表示する態様がこれに該当するが、バッテリーの残量を表示する態様等、その他の表示態様を好適に包含する。また「電動工具駆動情報の検出表示」とは、典型的にはモータの整流子に電流を供給するブラシの寿命を検出して表示する態様がこれに該当するが、この態様に限られるものではない。上記のように構成される本発明によれば、表示部がハウジングの２つの面を跨いで配置されることで、当該表示部の視認範囲を広げることが可能となり、これによって利便性の高い電動工具を提供できる。
【０００６】
（請求項２に記載の発明）
請求項２に記載の発明によれば、請求項１に記載の電動工具における開口は、延在方向の一端部が一方の面の法線に平行な垂直端面とされ、延在方向の他端部が内側から外側に向って延びる傾斜端面とされる。そして表示部は、先端部をハウジングの内側から開口に挿入することによって当該ハウジングに組み付けられる構成であって、開口に挿入される表示部の先端部位には、当該開口の垂直端面と相似形状の平面部および開口の傾斜端面と相似形状の傾斜面部が設けられており、ハウジング内のある点を回動支点にして表示部を回動させつつ当該表示部の先端部位を開口に挿入させたときに、平面部が開口の垂直端面に当接され、傾斜面部が開口の傾斜端面に当接される構成としている。
【０００７】
例えば、ハウジングの後面と側面との２方向に光が出るように、表示部を扇形に形成した上で、これをハウジングの内側から開口に直線的に挿入して組付けようとした場合、ハウジングの後面と側面に跨って延在する開口の延在方向の端面形状が、金型を用いてハウジングを成形する際の当該金型の型抜きを許容しない形状となってしまう。換言すれば、ハウジングを金型で成形する場合、型抜きの関係で開口の延在方向の端面形状に制約を受けることとなり、任意に設定することができない。そこで、型抜きが可能な範囲で開口の延在方向端面形状を設定したときは、開口の延在方向端面と表示部との間に隙間が発生してしまうといった問題がある。
本発明では、表示部を回動させて開口に挿入する構成とすれば、当該表示部における先端部位の平面部を開口の垂直端面に向って回り込むようにして接近させ、最終的には概ね面当りの状態で当接させることが可能となる。一方、表示部における先端部位の傾斜面部および開口の傾斜端面については、表示部を回動させて開口に挿入する際の当該表示部の回動支点を中心とする円弧状あるいはそれに近似する直線状に設定することによって、表示部の回動動作による挿入に対し概ね平行に移動させることができ、これによって最終的には先端部位の傾斜面部と開口の傾斜端面とを概ね面当りの状態で当接させることが可能となる。かくして、本発明によれば、表示部をハウジングの開口に対し殆ど隙間の無い状態で組付けることが可能となった。
【０００８】
（請求項３に記載の発明）
請求項３に記載の発明によれば、請求項２に記載の電動工具において、ハウジング内には、開口に表示部を挿入する際の当該表示部の回動支点を構成する被係合部が設けられ、当該被係合部に表示部に設けた係合部を係合した状態で表示部を回動させることによって当該表示部の先端部位を開口に挿入する構成としている。ここで本発明における「被係合部と係合部」の態様としては、被係合部を凹部としたときは、係合部が凸部とされ、被係合部を凸部としたときは、係合部が凹部とされる。本発明によれば、被係合部に係合部を係合させた状態で表示部を回動させる構成としたことにより、表示部をハウジングに容易に組付けることが可能となり、組付け作業性を向上する上で有利となる。
【発明の効果】
【０００９】
本発明によれば、電動工具における電動工具駆動状態表示あるいは電動工具駆動情報の検出表示等を行なう表示装置の視認領域の拡大を図る上で有効な技術が提供されることとなった。
【発明を実施するための最良の形態】
【００１０】
以下、本発明の実施の形態につき、図１〜図９に基づいて説明する。本実施の形態は、電動工具の一例として電動ハンマを用いて説明する。図１には本実施の形態に係る電動ハンマ１０１の外観構成が示されている。図２には電動ハンマ１０１を後方から見たときの外観構成が示されている。図１および図２に示すように、本実施の形態に係る電動ハンマ１０１は、概括的に見て、電動ハンマ１０１の外郭を構成する本体部１０３、当該本体部１０３の先端領域に接続されるツールホルダ部１１３、当該ツールホルダ部１１３に着脱自在に取り付けられたハンマビット１１５を主体として構成される。本体部１０３は、本発明における「ハウジング」に対応し、ハンマビット１１５は、本発明における「工具ビット」に対応する。
【００１１】
本体部１０３は、大別して、モータハウジング１０５と、クランクハウジング１０７と、ハンドグリップ１０９によって構成されている。モータハウジング１０５内には、駆動モータ（図示省略）やモータ制御用のコントローラ１１１（図１に二点鎖線で示す）が収容され、クランクハウジング１０７内には、駆動モータの回転出力を直線運動に変換する運動変換機構（図示省略）、当該運動変換機構によって直線状に駆動されてハンマビット１１５に長軸方向の衝撃力を作用させる打撃機構（図示省略）等が収容される。またハンドグリップ１０９には、駆動モータの電源スイッチを操作可能なトリガ１１７が配置されている。なお駆動モータの回転出力によって運動変換機構および打撃機構を介してハンマビット１１５を駆動させることについては、公知の事項ゆえ説明を省略する。
【００１２】
モータハウジング１０５には、電動ハンマ１０１の駆動状態表示および駆動情報検出表示を行うＬＥＤ（発光ダイオード）を用いた表示装置１２１が設けられている。図３は図１のIII−III線断面図、図４は図１のIV−IV線断面図、図５は図３のＶ矢視図であり、これら各図には表示装置１２１が示されている。表示装置１２１は、壁等に設けたコンセントに電源コード１１９のプラグが差し込まれているか否かを表示する駆動状態表示部１２３（図３参照）と、駆動モータの整流子に電流を供給するブラシが寿命に達しているか否かを検出して表示する情報検出表示部１３３（図４参照）とから構成されている。
【００１３】
駆動状態表示部１２３は、コンセントにプラグが差し込まれたときに点灯するように設定された光源（ＬＥＤ）１２５、および当該光源１２５の光線をモータハウジング１０５の外へ透過させる透光部１２７から構成される。情報検出表示部１３３は、ブラシが摩耗して予め設定された所定の長さに達したときに点灯するように設定された光源１３５および当該光源１３５の光線をモータハウジング１０５の外へ透過させる透光部１３７から構成される。上記の透光部１２７，１３７は、本発明における「表示部」に対応する。なお光源１２５，１３５はコントローラ１１１と電気的に接続されている。透光部１２７，１３７は、半透明の樹脂部材によって形成されている。
【００１４】
駆動状態表示部１２３の透光部１２７および情報検出表示部１３３の透光部１３７は、モータハウジング１０５の一部を構成するコントローラカバー１０６の後面１０６ａと側面（正面）１０６ｂに跨るようにして相互に近接した状態で配置されている。すなわち、コントローラカバー１０６の後面１０６ａと側面１０６ｂのコーナー部に配置されており、このコーナー部は、丸面による面取りされた形状とされる。コントローラカバー１０６の後面１０６ａは、ハンドグリップ１０９との対向面に相当する。なお、コントローラカバー１０６は、モータハウジング１０５に組み付けられるコントローラ１１１を覆蓋するべく当該モータハウジング１０５に装着される。
【００１５】
次に表示装置１２１における透光部１２７，１３７の組付け構造につき、主に図６〜図９を参照して説明する。透光部１２７，１３７は、コントローラカバー１０６の内側における、ある点を支点に回動させることで、当該コントローラカバー１０６に設けた開口１５１，１５３に組み付けられる構成とされる。コントローラカバー１０６には、後面１０６ａと側面１０６ｂに跨って概ね水平方向に延在する駆動状態表示用の開口１５１と情報検出表示用の開口１５３が上下方向に所定間隔を置いて形成されている（図１および図２参照）。各開口１５１，１５３は、金型を用いてコントローラカバー１０６を成形する際に、型抜きを支障なく行うことができる形状に形成されている。すなわち、開口１５１，１５３は、図６示すように、延在方向の一端部、つまり側面１０６ｂ側の端部が当該側面１０６ｂの法線に平行な垂直端面１５５とされ、延在方向の他端部、つまり後面１０６ａ側の端部が内側から外側に向って概ね直線状に延びる傾斜端面１５７とされる。これにより、開口成形用凸部を有する金型を図６において左方向へ型抜きすることが可能とされる。
【００１６】
またコントローラカバー１０６の内壁面には、図６に示すように、透光部１２７，１３７組付け用としての略Ｕ字状のピン受部１５８と弾性変形可能な係止片１５９が設けられている。ピン受部１５８は、開口１５１，１５３の垂直端面１５５に近く、傾斜端面１５７からは遠い位置であって、かつ傾斜端面１５５からの垂直線がピン受部１５８の概ね中心（後述するヒンジピン１４５の回動中心）を通るような位置に設定されている。換言すれば、ピン受部１５８を回動支点にして透光部１２７，１３７が回動されるとき、回転半径の内周側に垂直端面１５５が位置し、外周側に傾斜端面１５７が位置するように設定され、かつ傾斜端面１５７は、回動支点を中心とする円弧状あるいはそれに近似する直線状に設定されている。ピン受部１５８は、本発明における「被係合部」に対応する。なおピン受部１５８は、２つの開口１５１，１５３間に設けられ、係止片１５９は、２つの開口１５１，１５３を挟むように設けられている（図５の破線参照）。
【００１７】
一方、駆動状態表示部１２３の透光部１２７および情報検出表示部１３３の透光部１３７は、コントローラカバー１０６の内側から対応する開口１５１，１５３に先端部１４１を挿入することによって当該コントローラカバー１０６に組付けられる構成であり、開口１５１，１５３内に挿入される先端部１４１の一側には、図７に示すように、当該開口１５１，１５３の垂直端面１５５と相似形状の平面部１４１ａを、他側には、開口１５１，１５３の傾斜端面１５７と概ね相似形状の傾斜面部１４１ｂを有する。先端部１４１は、本発明における「先端部位」に対応するものであり、先端面形状がコントローラカバー１０６の側面１０６ｂと後面１０６ａのコーナー部形状に対応した面取り丸面形状とされている。
【００１８】
２つの透光部１２７，１３７は、図８に示すように、２つの開口１５１，１５３の配置間隔に対応する間隔で対向した状態において連接バー１４２により接合されて一体化されており、基部１４３側には、平板状のストッパ１４４を有し、基部１４３側と平面部１４１ａとの中間付近には、ヒンジピン１４５を有し、更に各透光部１２７，１３７の外側面には、それぞれ係止爪１４６を有する。ヒンジピン１４５は、本発明における「係合部」に対応する。
【００１９】
図９には、透光部１２７，１３７の組付け態様が示されている。上記のように構成された透光部１２７，１３７は、図９の（Ａ）に示すように、コントローラカバー１０６内に差し込むとともに、ヒンジピン１４５をコントローラカバー１０６側のピン受部１５８に係合した後、図９の（Ｂ）に示すようにピン受部１５８を支点にして回動する。この回動動作によって、透光部１２７，１３７の先端部１４１は、図９の（Ｃ）に示すように、対応する開口１５１，１５３内に挿入される。開口１５１，１５３内に挿入された先端部１４１は、平面部１４１ａが開口１５１，１５３の垂直端面１５５に面当りの状態で当接され、傾斜面部１４１ｂが開口１５１，１５３の傾斜端面１５７に面当りの状態で当接される。かくして、透光部１２７，１３７は、開口１５１，１５３に対し殆ど隙間の無い状態で組付けられる。なお図１に示すように、コントローラカバー１０６の側面には、表示の種類を示すべく、開口１５１，１５３に近接してコンセントマークおよびブラシマークが標示されている。
【００２０】
上記の透光部１２７，１３７の組付け時において、当該透光部１２７，１３７の回動動作に基づき外側面の係止爪１４６が係止片１５９を弾性変形させつつ通過し、通過後は、係止片１５９の側面に当接することで回り止めされる（図３および図４参照）。上記のようにして、透光部１２７，１３７が組付けられたコントローラカバー１０６は、モータハウジング１０５に組み付けられたコントローラ１１１（図１参照）等を覆うべく当該モータハウジング１０５に装着される。このとき、図３および図４に示すように、透光部１２７，１３７の基部側４３が、コントローラ１１１側に装着された光源１２５，１３５に対して僅かな間隙を置いて対向する如く配置されることになる。また透光部１２７，１３７のストッパ１４４がコントローラ１１１側に設けたストッパプレート１１１ａに当接され、これによって、透光部１２７，１３７が外力の作用によって不測にコントローラカバー１０６内に引っ込むことを防止できる。
【００２１】
電動ハンマ１０１の使用形態においては、電源コード１１９のプラグがコンセントに差し込まれたときに、駆動状態表示用の光源１２５が点灯して駆動状態表示用の透光部１２７を光らせ、電源の入力状態にあることを表示する。また駆動モータのブラシが寿命に達すると、情報検出表示用の光源１３５が点灯して情報検出表示用の透光部１３７を光らせ、ブラシが寿命に達したことを表示する。
【００２２】
本実施の形態においては、透光部１２７，１３７がコントローラカバー１０６の後面１０６ａと側面１０６ｂを跨いで配置する構成としている。このことにより、当該透光部１２７，１３７の視認範囲が拡大されることとなり、利便性の高い電動ハンマ１０１が提供される。また本実施の形態によれば、透光部１２７，１３７を回動させつつ開口１５１，１５３に挿入する構成としたことにより、透光部１２７，１３７をコントローラカバー１０６の開口１５１，１５３に対し殆ど隙間の無い状態で組付けることが可能となった。要するに、本実施の形態は、透光部１２７，１３７を回動させるときの、回動半径の内周側に位置する開口１５１，１５３の一端面を垂直端面１５５となす一方、回動半径の外周側に位置する開口１５１，１５３の他端面を、回動支点を中心とする円弧状あるいはそれに近似する直線状の傾斜端面１５７とすることで、透光部１２７，１３７をコントローラカバー１０６の開口１５１，１５３に対し殆ど隙間の無い状態で組付けることを可能としたものである。
【００２３】
またコントローラカバー１０６に透光部組付け用のピン受部１５８を設定し、このピン受部１５８に透光部１２７，１３７に設けたヒンジピン１４５を係合した状態で回動させる構成としている。このため、特別な作業を行うことなく、簡単かつ確実に組付け作業を遂行することができる。
【００２４】
ところで、電動工具には、電気ノイズ対策のために雑音防止用のコンデンサが組み込まれている。この場合、コンデンサを組付けた後で、当該コンデンサとフィールドとのリード線等による結線（接続）作業を行うことは、作業性の面から好ましくない。そこで、本実施の形態では、コンデンサを電動ハンマ１０１に組付けるに当り、当該コンデンサをコントローラ１１１に内蔵（一体化）して同時にモータハウジング１０５内に組み込む構成となすとともに、コントローラ１１１をモータハウジング１０５に組付けたときに、同時的にコンデンサがフィールドに電気的に接続されるように構成している。
【００２５】
図１０に示すように、本実施の形態では、モータハウジング１０５には、フィールド１７１等が収容される内部空間１７２の外側、すなわちモータハウジング１０５の後側の外面にコントローラ１１１を収容するためのコントローラ収容部１７３を設定し、このコントローラ収容部１７３に配置されたコントローラ１１１を前述したコントローラカバー１０６によって覆蓋する構成としている。そしてモータハウジング１０５の内部空間１７２とコントローラ収容部１７３とを区画するモータハウジング１０５の壁１０５ａを貫通する態様でアース線１７５を装着している。弾性を有する導体からなるアース線１７５は、モータハウジング１０５の壁１０５ａに設けたスリット１０５ｂに挿通される一対の脚片部１７６と、コントローラ収容部１７３側に配置される基板部１７７からなる平面視で概ねコ字形に形成されており、コントローラ収容部１７３側からスリット１０５ｂに挿入された脚片部１７６の先端凸部１７６ａが当該スリット１０５ｂの壁面に弾発的に接触することで挿入された位置に保持される構成とされる。なお図２には、モータハウジング１０５に組付けられたアース線１７５が後面視として示されている。
【００２６】
このようにしてモータハウジング１０５に組み付けられたアース線１７５は、脚片部１７６の先端がモータハウジング１０５内のフィールド配置領域に達している。このため、モータハウジング１０５にフィールド１７１を組付けると、アース線１７５の先端部が当該アース線１７５のばね性により撓みつつフィールド１７１の端面に接触される。次にコンデンサを内蔵したコントローラ１１１をコントローラ収容空間１７３に配置してモータハウジング１０５に組付けると、当該コントローラ１１１から突設されているコンデンサの端子１７９がアース線１７５の基板部１７７に接触される。
【００２７】
このように、本実施の形態によれば、コントローラ１１１をモータハウジング１０５に組付けると、コンデンサとフィールド１７１の電気的接続が同時的に遂行されることになる。これにより、コンデンサを組付けた後で、当該コンデンサとフィールド１７１を接続する作業が省略されることとなり、組付け作業性を向上することができる。
【００２８】
なお上述した実施の形態は、電動工具の一例として電動ハンマ１０１を用いて説明したが、これに限定されるものではなく、例えばハンマドリル、ジグソー、レシプロソー等といったように、工具ビットが、直線運動することで被加工材に加工作業を行う態様の作業工具、あるいはマルノコ、グラインダー、ドリル、スクリュドライバ等といったように、工具ビットが、回転運動することで被加工材に加工作業を行う態様の作業工具に広く適用することが可能である。また駆動状態表示として、電源入力の有無を表示する場合で説明したが、これに限定されない。また情報検出表示としてブラシ寿命を検出して表示する場合で説明したが、これに限定されない。
また本実施の形態では、コントローラカバー１０６側にＵ字状のピン受部１５８を設け、透光部１２７，１３７にヒンジピン１４５を設けたが、これを逆にしてもよい。つまりコントローラカバー１０６に固定ピンを設け、透光部１２７，１３７に固定ピンに係合する凹部を設けてもよい。また本実施の形態では、駆動状態表示部１２３と情報検出表示部１３３との複数の表示部を設定したが、いずれか一方を設ける構成に変更してもよい。また開口１５１，１５３は、透光部１２７，１３７毎に設けたが、１つの開口に複数の透光部を差し込む構成に変更してもよい。
【図面の簡単な説明】
【００２９】
【図１】本実施の形態に係る電動ハンマの外観構成を示す正面図である。
【図２】本実施の形態に係る電動ハンマの外観構成を示す背面図である。
【図３】図１のIII−III線断面図である。
【図４】図１のIV−IV線断面図である。
【図５】図３のＶ矢視図である。
【図６】コントローラカバーを示す断面図である。
【図７】光源を示す平面図である。
【図８】光源を示す側面図である。
【図９】光源の組付け態様を示す図である。
【図１０】コンデンサの組付けを説明する図である。
【符号の説明】
【００３０】
１０１  電動ハンマ（電動工具）
１０３  本体部（ハウジング）
１０５  モータハウジング
１０５ａ  壁
１０５ｂ  スリット
１０６  コントローラカバー
１０６ａ  後面
１０６ｂ  側面
１０７  クランクハウジング
１０９  ハンドグリップ
１１１  コントローラ
１１１ａ  ストッパプレート
１１３  ツールホルダ部
１１５  ハンマビット（工具ビット）
１１７  トリガ
１１９  電源コード
１２１  表示装置
１２３  駆動状態表示部
１２５  光源
１２７  透光部（表示部）
１３３  情報検出表示部
１３５  光源
１３７  透光部（表示部）
１４１  先端部
１４１ａ  平面部
１４１ｂ  傾斜面部
１４２  連接バー
１４３  基部側
１４４  ストッパ
１４５  ヒンジピン
１４６  係止爪
１５１  駆動状態表示用の開口
１５３  情報検出表示用の開口
１５５  垂直端面
１５７  傾斜端面
１５８  ピン受部
１５９  係止片
１７１  フィールド
１７２  内部空間
１７３  コントローラ収容空間
１７５  アース線
１７６  脚片部
１７６ａ  先端凸部
１７７  基板部
１７９  端子
【図１】
2006062038.tif 000003
【図２】
2006062038.tif 000004
【図３】
2006062038.tif 000005
【図４】
2006062038.tif 000006
【図５】
2006062038.tif 000007
【図６】
2006062038.tif 000008
【図７】
2006062038.tif 000009
【図８】
2006062038.tif 000010
【図９】
2006062038.tif 000011
【図１０】
2006062038.tif 000012